(57)【要約】【課題】ベゼル幅を小さくしても、パネルの破損を抑制できるパネル装置を提供する。【解決手段】パネル装置ａ１は、パネル１４と、底面部１２及び側壁部１３で囲まれ、パネル１４と略同形状の空間を有し、パネル１４を前記空間に収容するディスプレイ筐体１０と、パネル１４の背面の少なくとも一部とディスプレイ筐体１０の底面部１２とを接着する接着部材１６と、を備え、ディスプレイ筐体１０は、側壁部１３のうち、少なくともパネル１４の側端部１４Ａに対向する対向部に、傾斜面１３ａを備えている。【選択図】図２
2020134579.tif 000002
【特許請求の範囲】
【請求項１】
パネルと、
底面部及び側壁部で囲まれ、前記パネルと略同形状の空間を有し、前記パネルを前記空間に収容する筐体と、
前記パネルの背面の少なくとも一部と前記筐体の前記底面部とを接着する接着部材と、を備え、
前記筐体は、前記側壁部のうち、少なくとも前記パネルの側端部に対向する対向部に、傾斜面を備えている、パネル装置。
【請求項２】
前記傾斜面は、前記パネルの背面に対向する前記底面部の法線に対し、前記筐体の外側に向かって傾斜している、請求項１に記載のパネル装置。
【請求項３】
前記傾斜面は、前記法線に対して１０°から３０°の範囲内で傾斜している、請求項２に記載のパネル装置。
【請求項４】
前記側端部と前記筐体とは、非接着状態である、請求項１〜３のいずれか一項に記載のパネル装置。
【請求項５】
前記パネルは、
表示デバイスを含むパネル本体と、
前記パネル本体の前面に設けられるカバーガラスと、
前記カバーガラスの少なくとも縁部を囲むように取り付けられた枠体と、を有し、
前記枠体が、前記パネルの側端部を形成している、請求項１〜４のいずれか一項に記載のパネル装置。
【請求項６】
前記パネルは、
表示デバイスを含むパネル本体と、
前記パネル本体の前面に設けられるカバーガラスと、を有し、
前記カバーガラスが、前記パネルの側端部を形成している、請求項１〜４のいずれか一項に記載のパネル装置。
【請求項７】
前記パネルの側端部は、前記傾斜面と略平行な第２傾斜面を備えている、請求項１〜６のいずれか一項に記載のパネル装置。
【発明の詳細な説明】
【技術分野】
【０００１】
本発明は、パネル装置に関するものである。
【背景技術】
【０００２】
パネル装置として、例えば、携帯可能なノート型のパーソナルコンピュータは、折り畳み可能なディスプレイ筐体を備えている（例えば、特許文献１参照）。
【先行技術文献】
【特許文献】
【０００３】
【特許文献１】特開２０１８−１７０３７１号公報
【発明の概要】
【発明が解決しようとする課題】
【０００４】
ディスプレイ筐体は、画像を表示するパネルと、パネルを収める筐体と、を備えている。ディスプレイ筐体のパネルの周囲には、矩形枠状のベゼルが配置されている。このようなパネル装置において、ベゼル幅を小さくすると、パネルが筐体のエッジ（周縁部）に近づき、装置が落下したときに衝撃がパネルに伝わり易くなる。
【０００５】
本発明は、上記課題を解決するためになされたものであって、その目的は、ベゼル幅を小さくしても、パネルの破損を抑制できるパネル装置を提供することにある。
【課題を解決するための手段】
【０００６】
上記の課題を解決するために、本発明の一態様に係るパネル装置は、パネルと、底面部及び側壁部で囲まれ、前記パネルと略同形状の空間を有し、前記パネルを前記空間に収容する筐体と、前記パネルの背面の少なくとも一部と前記筐体の前記底面部とを接着する接着部材と、を備え、前記筐体は、前記側壁部のうち、少なくとも前記パネルの側端部に対向する対向部に、傾斜面を備えている。
また、上記パネル装置においては、前記傾斜面は、前記パネルの背面に対向する前記底面部の法線に対し、前記筐体の外側に向かって傾斜していてもよい。
また、上記パネル装置においては、前記傾斜面は、前記法線に対して１０°から３０°の範囲内で傾斜していてもよい。
また、上記パネル装置においては、前記側端部と前記筐体とは、非接着状態であってもよい。
また、上記パネル装置においては、前記パネルは、表示デバイスを含むパネル本体と、前記パネル本体の前面に設けられるカバーガラスと、前記カバーガラスの少なくとも縁部を囲むように取り付けられた枠体と、を有し、前記枠体が、前記パネルの側端部を形成していてもよい。
また、上記パネル装置においては、前記パネルは、表示デバイスを含むパネル本体と、前記パネル本体の前面に設けられるカバーガラスと、を有し、前記カバーガラスが、前記パネルの側端部を形成していてもよい。
また、上記パネル装置においては、前記パネルの側端部は、前記傾斜面と略平行な第２傾斜面を備えていてもよい。
【発明の効果】
【０００７】
本発明によれば、ベゼル幅を小さくしても、パネルの破損を抑制できる。
【図面の簡単な説明】
【０００８】
【図１】本発明の実施形態におけるパネル装置を備える電子機器１の斜視である。
【図２】図１において符号Ａで示す領域の断面図である。
【図３】本発明の実施形態におけるパネル装置ａ１が落下したときの傾斜面１３ａの作用を示す図である。
【図４】比較例として、傾斜面１３ａを備えないパネル装置ａ１が落下したときの様子を示す図である。
【図５】本発明の実施形態の一変形例を示すパネル装置ａ２の断面図である。
【図６】本発明の実施形態の一変形例を示すパネル装置ａ３の断面図である。
【図７】本発明の実施形態の一変形例を示すパネル装置ａ４の断面図である。
【発明を実施するための形態】
【０００９】
以下、本発明の実施形態について図面を参照して説明する。
【００１０】
図１は、本発明の実施形態におけるパネル装置を備える電子機器１の斜視図である。
図１に示す電子機器１は、クラムシェル型のラップトップパーソナルコンピュータ（いわゆるノート型のパーソナルコンピュータ）である。電子機器１は、システム筐体２と、ディスプレイ筐体１０と、を備える。システム筐体２とディスプレイ筐体１０は、図示しないヒンジで開閉可能に連結されている。
【００１１】
システム筐体２には、キーボード・アセンブリ３が設けられ、キーボード・アセンブリ３の手前側には、パームレスト部４が形成されている。このシステム筐体２には、周知のように、図示しない、プロセッサ、マザー・ボード、無線モジュール、ハードディスク・ドライバ等の各種の電子部品が内蔵されている。
【００１２】
ディスプレイ筐体１０には、ディスプレイ・モジュール１１が設けられている。ディスプレイ・モジュール１１は、例えば、液晶ディスプレイや有機ＥＬディスプレイなどから形成されている。ディスプレイ・モジュール１１の表示面は、タッチパネルとなっている。このディスプレイ筐体１０は、図示しないヒンジを中心に、システム筐体２の底面側（キーボード・アセンブリ３の背面側）まで３６０°回動することができ、タブレットのように使用することができる。
【００１３】
図２は、図１において符号Ａで示す領域の断面図である。図２においては、ディスプレイ・モジュール１１が紙面上側を向いている。符号Ａで示す領域は、ディスプレイ筐体１０の４つのコーナーエッジのうちの一つであるが、当該コーナーエッジに限らず、ディスプレイ筐体１０の他のエッジ（周縁部）においても、図２に示す構成と同様の構成となっていてもよい。なお、本実施形態では、図２に示すディスプレイ筐体１０及びディスプレイ・モジュール１１を備えるものを、パネル装置ａ１と称する。
【００１４】
ディスプレイ筐体１０（筐体）は、例えば、アルミニウム合金などの軽合金のダイキャストで形成されている。ディスプレイ筐体１０は、ディスプレイ・モジュール１１のパネル１４が収まる有底溝を形成する底面部１２及び側壁部１３を有している。つまり、ディスプレイ筐体１０は、底面部１２及び側壁部１３で囲まれ、パネル１４と略同形状の空間を有している。底面部１２は、パネル１４の背面の少なくともの一部（本実施形態では、全面）に対向している。底面部１２の周縁部には、段差が形成され、当該段差よりも外側が、内側よりも一段高く（浅く）なっている。
【００１５】
側壁部１３は、底面部１２の周囲に、ディスプレイ・モジュール１１を収納できる高さで立設している。側壁部１３は、ディスプレイ・モジュール１１の後述するパネル１４の側端部１４Ａと、パネル１４のパネル面に沿う方向で対向している。側壁部１３は、パネル１４の側端部１４Ａと対向する対向部（内壁面）に、傾斜面１３ａを備えている。
【００１６】
傾斜面１３ａは、ディスプレイ筐体１０の底面部１２の法線に対して、ディスプレイ筐体１０の外側に向かって傾斜している。つまり、傾斜面１３ａは、ディスプレイ筐体１０の底面部１２に対して直交する線を基準にして外側に傾いた面である。または、傾斜面１３ａは、パネル１４の背面から正面（表面）に向かうに従って、パネル１４の側端部１４Ａから徐々に離れる面とも言える。この傾斜面１３ａの傾斜角は、θで示されている。
【００１７】
ディスプレイ・モジュール１１は、ディスプレイ筐体１０に収容されたパネル１４を備えている。パネル１４は、表示デバイスを含むパネル本体１５と、パネル本体１５の前面に設けられるカバーガラス１４ａと、カバーガラス１４ａの少なくとも縁部を囲むように取り付けられたベゼルフレーム１７（枠体）と、を有している。パネル本体１５は、カバーガラス１４ａの背面に配置され、例えば、ＬＥＤ等の光源や液晶駆動回路等を含んで構成されている。このパネル本体１５は、ディスプレイ筐体１０の底面部１２の段差よりも内側に配置され、接着部材１６を介して底面部１２に固定されている。接着部材１６としては、両面テープなどを例示することができる。
【００１８】
カバーガラス１４ａは、例えば、ガラス板からなり、本実施形態のようにパネル１４がタッチパネルの場合、そのガラス板の背面（表示デバイス１５の前面）には、透明電極膜や保護カバー等が貼られている（図面では不図示）。カバーガラス１４ａの側端面１４ｂは、ディスプレイ筐体１０の底面部１２の法線に平行な面であり、ディスプレイ筐体１０の側壁部１３に対向する位置関係にある。
【００１９】
このカバーガラス１４ａの周囲には、プラスチック製のベゼルフレーム１７が、カバーガラス１４ａを囲むように取り付けられている。ベゼルフレーム１７は、断面形状がＬ字状に形成されていて、そのＬ字の一辺側が当接部１７ａとなり、他辺側が取付部１７ｂとなっている。当接部１７ａは、カバーガラス１４ａの側端面１４ｂに対向すると共に、側壁部１３の傾斜面１３ａと当接可能な位置に配置されている。つまり、当接部１７ａは、カバーガラス１４ａの側端面１４ｂと、側壁部１３の傾斜面１３ａとの間に配置されている。
【００２０】
取付部１７ｂは、カバーガラス１４ａの周縁部の背面側に配置され、接着部材１８を介してカバーガラス１４ａの背面側に固定されている。接着部材１８としては、両面テープなどを例示することができる。このようなベゼルフレーム１７は、カバーガラス１４ａの周縁部において、当接部１７ａを介してディスプレイ筐体１０の側壁部１３に対向すると共に、取付部１７ｂを介してディスプレイ筐体１０の底面部１２に対向する。つまり、ベゼルフレーム１７は、パネル１４の側端部１４Ａを形成していると言える。
【００２１】
このベゼルフレーム１７の当接部１７ａ及び取付部１７ｂの両辺の交差する部分の外側には、ディスプレイ筐体１０に設けられている側壁部１３の傾斜面１３ａと略平行な第２傾斜面１７ｃが形成されている。つまり、第２傾斜面１７ｃは、当接部１７ａ及び取付部１７ｂに跨って形成されている。換言すると、第２傾斜面１７ｃは、当接部１７ａ及び取付部１７ｂのコーナー部に形成されているとも言える。あるいは、第２傾斜面１７ｃは、当接部１７ａの外表面の下端部がディスプレイ筐体１０の内側に向かって傾いた面といも言える。この第２傾斜面１７ｃの傾斜角は、αで示されている。傾斜角αは、傾斜角θと等しいことが好ましいが、略等しければよく、例えば±３°程度の差であれば、傾斜面１３ａと第２傾斜面１７ｃが上記「略平行」であると言える。
【００２２】
なお、図２において、ディスプレイ筐体１０の傾斜面１３ａと、ベゼルフレーム１７の第２傾斜面１７ｃとの間、及び、カバーガラス１４ａの側端面１４ｂと、ベゼルフレーム１７の当接部１７ａとの間、及び、ディスプレイ筐体１０の底面部１２と、ベゼルフレーム１７の取付部１７ｂと間には、隙間が設けられていが、これら隙間は、各部材を明瞭に区別するために設けられたもので、実装置においては、各部材はそれぞれ当接していても構わない。しかし、パネル１４の側端部１４Ａと、ディスプレイ筐体１０とは、非接着状態であることは変わらず、以下に説明する滑りが可能とされている。
【００２３】
図３は、本発明の実施形態におけるパネル装置ａ１が落下したときの傾斜面１３ａの作用を示す図である。図４は、比較例として、傾斜面１３ａを備えないパネル装置ａ１が落下したときの様子を示す図である。図３及び図４は、例えば、図１に示す電子機器１において、ディスプレイ筐体１０をシステム筐体２の背面側に回動させ、タブレット状態で使用していたときに落下し、ディスプレイ筐体１０のコーナーエッジが床Ｆに衝突した状態を示している。
【００２４】
図３に示すように、パネル装置ａ１が落下すると、ディスプレイ筐体１０の側壁部１３に発生した衝撃は、ベゼルフレーム１７の当接部１７ａを介してカバーガラス１４ａに加えられる。この際、ベゼルフレーム１７の当接部１７ａは、側壁部１３に設けられている傾斜面１３ａの傾斜に沿って滑動し、カバーガラス１４ａの側端面１４ｂ付近をディスプレイ筐体１０の底面部１２側から離れるように移動させる。
【００２５】
つまり、この傾斜面１３ａにおける滑動によって、カバーガラス１４ａの側端面１４ｂにかかるガラス面水平圧縮方向のエネルギーが、カバーガラス１４ａを反らせる曲げ方向のエネルギーとして逃げる。このため、カバーガラス１４ａは、図示されるように、側端面１４ｂ付近に撓みが生じるように変形する。このように、傾斜面１３ａにおける滑動によって、カバーガラス１４ａの側端面１４ｂに加えられる衝撃力は減ぜられるから、カバーガラス１４ａの破損が抑制される。つまり、パネル装置ａ１のベゼル幅を小さくしても、カバーガラス１４ａの破損を抑制できる。
【００２６】
また、本実施形態のパネル装置ａ１においては、ベゼルフレーム１７に設けられている第２傾斜面１７ｃの傾斜角αと、側壁部１３の傾斜面１３ａの傾斜角θとが同一に形成されているので、側壁部１３の傾斜面１３ａに対するベゼルフレーム１７の当接部１７ａの滑動がより円滑に行われる。
【００２７】
一方で、図４に示されるディスプレイ筐体１０´は、側壁部１３の傾斜面１３ａの傾斜角θを０にしたときを示したものある。このディスプレイ筐体１０´では、ディスプレイ筐体１０´の角の部分が床Ｆに衝突したとき、側壁部１３に傾斜面１３ａを有していないので、側壁部１３に発生した衝撃（ガラス面水平圧縮方向のエネルギー）は減ぜられることなく、全てカバーガラス１４ａの側端面１４ｂに加えられ、カバーガラス１４ａは簡単に破損してしまう。
【００２８】
次に、側壁部１３の傾斜面１３ａの好ましい傾斜角θについて説明する。
図２に示す傾斜角θは、１０°以上、且つ、６０°以下であることが好ましい。傾斜角θが１０°以上であれば、傾斜面１３ａにおける滑動によってカバーガラス１４ａの側端面１４ｂ付近を撓ませて、カバーガラス１４ａの破損を抑制できる。なお、傾斜角θを１０°以上とした場合、ディスプレイ筐体１０を成形するときの抜き勾配（θ＝１．５°〜３．０°程度）と明確に区別することができる。また、傾斜角θが６０°以下であれば、側壁部１３の幅、つまり、パネル装置ａ１のベゼル幅を小さくすることができる。
【００２９】
より好ましくは、傾斜角θは、１０°以上、且つ、４５°以下であるとよい。傾斜角θが４５°以下であれば、パネル１４の周囲に見える側壁部１３の傾斜面１３ａ（つまり、表面上に現れる側壁部１３とベゼルフレーム１７との隙間）が細く見え難くなり、パネル装置ａ１の美観が向上する。
さらに、傾斜角θは、３０°以上、且つ、４５°以下であると尚よい。傾斜角θが３０°以上であれば、傾斜面１３ａにおける滑動によってカバーガラス１４ａの側端面１４ｂ付近を十分に撓ませて、カバーガラス１４ａの破損をより確実に抑制できる。
【００３０】
なお、上述した傾斜角θの好ましい下限は、傾斜面１３ａの傾斜角θを０°、１０°、２０°、３０°に設定したときのディスプレイ筐体１０の落下試験のシミュレーション結果に基づいている。このシミュレーションは、所定の高さからディスプレイ筐体１０を落下させて地面とコーナーエッジとを衝突させてカバーガラス１４ａに損傷が発生するか否かを解析したものである。その結果、傾斜角θが０°の場合、カバーガラス１４ａの損傷が発生したが、傾斜角θが１０°、２０°、３０°の場合、カバーガラス１４ａの損傷が発生せず、１０°、２０°、３０°の順にガラス面水平圧縮方向のエネルギーを減ぜられていることが確認できた。
つまり、傾斜面１３ａは、底面部１２の法線に対して１０°から３０°の範囲内で傾斜しているとよい。
【００３１】
以上、この発明の実施形態について図面を参照して詳述してきたが、具体的な構成は上記の実施形態に限られるものではなく、この発明の要旨を逸脱しない範囲の設計等も含まれる。上記の実施形態において説明した各構成は、矛盾しない限り任意に組み合わせることができる。
【００３２】
例えば、図５〜図７に示すような構成を採用することができる。
【００３３】
図５は、本発明の実施形態の一変形例を示すパネル装置ａ２の断面図である。
図５に示されるパネル装置ａ２は、上述した図２に示すパネル装置ａ１からベゼルフレーム１７を除いた他は、パネル装置ａ１と同一である。すなわち、カバーガラス１４ａにベゼルフレーム１７を必要としない場合は、カバーガラス１４ａの側端面１４ｂが、パネル１４の側端部１４Ａを形成し、側壁部１３の傾斜面１３ａに直接当接される。
【００３４】
この構成においても、パネル装置ａ２が落下した場合は、傾斜面１３ａにおける滑動によって、カバーガラス１４ａの側端面１４ｂ付近に撓みを生じさせるから、カバーガラス１４ａの側端面１４ｂに加えられる衝撃力は減ぜられ、カバーガラス１４ａの破損を抑制することができる。
【００３５】
図６は、本発明の実施形態の一変形例を示すパネル装置ａ３の断面図である。
図６に示されるパネル装置ａ３は、上述した図２に示されたパネル装置ａ１からベゼルフレーム１７に第２傾斜面１７ｃを設けない他は、パネル装置ａ１と同一である。この場合のベゼルフレーム１７は、ベゼルフレーム１７の角が側壁部１３の傾斜面１３ａに当接される。
【００３６】
この構成においても、パネル装置ａ３が落下した場合は、傾斜面１３ａにおける滑動によって、カバーガラス１４ａの側端面１４ｂ付近に撓みを生じさせるから、カバーガラス１４ａの側端面１４ｂに加えられる衝撃力は減ぜられ、カバーガラス１４ａの破損を抑制することができる。
【００３７】
図７は、本発明の実施形態の一変形例を示すパネル装置ａ４の断面図である。
図７に示されるパネル装置ａ４は、上述した図２に示されたパネル装置ａ１のベゼルフレーム１７の第２傾斜面１７ｃを曲面部１７ｄとした以外、パネル装置ａ１と同一である。この場合のベゼルフレーム１７の曲面部１７ｄは、側壁部１３の傾斜面１３ａに当接される。
【００３８】
この構成においても、パネル装置ａ４が落下した場合は、傾斜面１３ａにおける滑動によって、カバーガラス１４ａの側端面１４ｂ付近に撓みを生じさせるから、カバーガラス１４ａの側端面１４ｂに加えられる衝撃力は減ぜられ、カバーガラス１４ａの破損を抑制することができる。
【００３９】
また、例えば、上記実施形態では、パネル装置の適用例としてノート型パーソナルコンピュータを用いて説明したが、本発明はこれに限定されるものではなく、例えばタブレットや、ディスプレイ装置単体であってもよく、また、パネルがはめ込まれた電光掲示板または看板等の他のパネル装置にも適用できるものである。
【符号の説明】
【００４０】
１  電子機器
２  システム筐体
３  キーボード・アセンブリ
４  パームレスト部
１０  ディスプレイ筐体（筐体）
１１  ディスプレイ・モジュール
１２  底面部
１３  側壁部
１３ａ  傾斜面
１４  パネル
１４ａ  カバーガラス
１４Ａ  側端部
１４ｂ  側端面
１５  パネル本体
１６  接着部材
１７  ベゼルフレーム（枠体）
１７ａ  当接部
１７ｂ  取付部
１７ｃ  第２傾斜面
１７ｄ  曲面部
１８  接着部材
ａ１  パネル装置
ａ２  パネル装置
ａ３  パネル装置
ａ４  パネル装置
Ｆ  床
α  傾斜角
θ  傾斜角
【図１】
2020134579.tif 000003
【図２】
2020134579.tif 000004
【図３】
2020134579.tif 000005
【図４】
2020134579.tif 000006
【図５】
2020134579.tif 000007
【図６】
2020134579.tif 000008
【図７】
2020134579.tif 000009